(57)【要約】【課題】  本発明の目的は、先端工具の持ち運びがしやすい作業性の良い収納ケースを提供することにある。【解決手段】  収納可能な空間部を有する第１のケースと、該第１のケースと合わさって蓋となる第１の蓋部と、該第１のケース及び該第１の蓋部とを互いに回動可能に連結する第１の連結部と、該第１のケースの外表面に突設された鉤状のフック部とを有することを特徴とするアクセサリ収納ケースを提供することで、アクセサリ収納ケースを例えば携帯用工具収納ケースに係合させて、一体にして取り扱うことができる。【選択図】図１
2005254379.tif 000002
【特許請求の範囲】
【請求項１】
収納可能な空間部を有する第１のケースと、該第１のケースと合わさって蓋となる第１の蓋部と、該第１のケース及び該第１の蓋部とを互いに回動可能に連結する第１の連結部と、該第１のケースの外表面に突設された鉤状のフック部とを有することを特徴とするアクセサリ収納ケース。
【請求項２】
該第１のケースが下方、該第１の接続部が奥側になるように該部品収納ケースを載置したときに、該フック部が該第１のケースの左右両脇に各１つずつ設けられることを特徴とする請求項１記載のアクセサリ収納ケース。
【請求項３】
少なくとも該蓋部の一部が透明もしくは半透明の材料で形成されることを特徴とする請求項１記載のアクセサリ収納ケース。
【請求項４】
請求項１乃至４のいずれか一に記載のアクセサリ収納ケースと、該アクセサリ収納ケース内に収納されるアクセサリとの組合せ。
【請求項５】
収納可能な空間部を有する第２のケースと、該第２のケースと合わさって蓋となる第２の蓋部と、該第２のケース及び該第２の蓋部とを互いに回動可能に連結する第２の連結部とを有する携帯用工具収納ケースにおいて、
該第２の蓋部の外表面に、請求項１乃至３のいずれか一に記載のアクセサリ収納ケースを収納可能な凹部を設け、該フック部と係合可能な穴部を設けることを特徴とする携帯用工具収納ケース。
【請求項６】
請求項１乃至３いずれか一に記載のアクセサリ収納ケースと、請求項５に記載の携帯用工具収納ケースとの組合せ。
【請求項７】
該アクセサリ収納ケース及び該凹部が非対称に形成されることを特徴とする請求項６記載のアクセサリ収納ケースと携帯用工具収納ケースとの組合せ。
【請求項８】
該アクセサリ収納ケースを該凹部に収納したときに、該アクセサリ収納ケースは該携帯用工具収納ケースから突出しないことを特徴とする請求項６記載のアクセサリ収納ケースと携帯用工具収納ケースとの組合せ。
【発明の詳細な説明】
【技術分野】
【０００１】
本発明は、携帯用工具を収納する携帯用工具収納ケースと、携帯用工具に使用される先端工具、ねじ、釘などを収納するアクセサリ収納ケースに関するものである。
【背景技術】
【０００２】
電動工具は、一般木造住宅建築，電気，ガス，水道，管工事，ビル建設等の内装工事など多岐に渡り使用される物であり、屋外での使用や階上での使用、広範囲にわたる移動を繰り返しながらの使用等様々な環境下で使われている。
【０００３】
また、電動工具は、ねじ締め、穴あけ、ボルトの締結作業など、多種類の先端工具を使用している。そのため、電動工具を収納するケースには先端工具を納める場所が設けられている。
【０００４】
さらに電動工具を収納するケースは内部に重い電動工具、充電器、電池などを収納しており運搬中などの振動や多少の落下によっても内部収納物に傷等がつかないよう高強度の材料を用いる必要がある。高強度の材料は一般に高価な材料が多い。
【０００５】
例えば、電動工具を収納する収納部の周辺に間仕切りを行い収納スペースを設ける物がある。この場合、収納スペースが限られるため別途先端工具を入れる作業袋の用意が必要であった。
【０００６】
また、他の例では、ケースの蓋に凹部を設けて蓋の外側に収納スペースを設けている物もある。
【発明の開示】
【発明が解決しようとする課題】
【０００７】
しかしながら、従来例には以下の問題があった。
１．  電動工具収納用ケース内に、充分な収納スペースを設けたとしても色々な先端工具１３を必要とする広い作業空間でこの電動工具も収納出来る大きく、重いケースを持ち運ぶことは非常に不便であった。また、収納スペースは工具収納ケースと一体のため、作業内容によっては必要な先端工具などを入れ替える必要があった。
２．  先端工具を入れる収納スペースが不充分だと、別に作業袋を用意する必要があり、１日の作業開始、終了時には工具収納用ケース、作業袋と２つの物を持ち運ぶ必要が生じた。
３．  ケース上蓋４に凹部を設け収納スペースとした場合も、作業は電動工具を取り出すことから始まるが、前記ケース上蓋４を明け、工具を取り出したそのままの状態では先端工具が取り出せない。前記ケース上蓋４を締め前記ケース上蓋４が開かないように前記ラッチ１２を用いて前記ケース下側１に固定するなど前記上蓋４が動かないようにしなければ前記蓋１６の開閉は出来ない。このように操作が面倒であった。
４．  前記ケース上蓋４の上に前記蓋１６を乗せる構成であり、かつ先端工具取り出しのため広く前記蓋１６が開く必要があるため、前記蓋１６の一部が前記ケース上側４との干渉を防ぐため、前記ケース上蓋４の外側に出る部分ができた。前記蓋１６は電動工具に比べはるかに軽い先端工具を収納するため設けられていることと、原価面の問題から前期ケース上蓋４に比べ強度の低い材料で構成されている。このため、持ち運びの際にぶつけるなどして、破損させる場合がある。
５．  工具を販売する側は一般に先端工具類も販売しているが、収納スペースが工具用のケースと一体の場合、各業種の必要に応じた先端工具類を工具用ケースの収納スペースにそろえて販売するには工具自体の在庫量を増やす必要がありる。これには高価な工具の在庫は大きな負担になることから顧客のニーズに充分こたえることが難しかった。
【０００８】
本発明の目的は、上記課題を解決し、先端工具の持ち運びがしやすい使い勝手のよい収納ケースを提供することにある。
【課題を解決するための手段】
【０００９】
収納可能な空間部を有する第１のケースと、該第１のケースと合わさって蓋となる第１の蓋部と、該第１のケース及び該第１の蓋部とを互いに回動可能に連結する第１の連結部と、該第１のケースの外表面に突設された鉤状のフック部とを有することを特徴とするアクセサリ収納ケースを提供すれば、アクセサリ収納ケースを他のものに係合させて、一体にして取り扱うことができる。
【００１０】
該第１のケースが下方、該第１の接続部が奥側になるように該部品収納ケースを載置したときに、該フック部が該第１のケースの左右両脇に各１つずつ設けられようにすれば、アクセサリ収納ケースの蓋部を開ける位置に載置したときに、各々のフックを両手で同じに操作することができる。
【００１１】
少なくとも該蓋部の一部が透明もしくは半透明の材料で形成されるようにすれば、蓋部を開けることなく収納物を確認することができる。
【００１２】
上記のアクセサリ収納ケースと、該アクセサリ収納ケース内に収納されるアクセサリとを組合わせて提供すれば、アクセサリ収納ケースとアクセサリとを様々な作業用途に合わせたものを提供することができ、ユーザは各自の作業用途に合わせてひとまとめに購入することできる。
【００１３】
収納可能な空間部を有する第２のケースと、該第２のケースと合わさって蓋となる第２の蓋部と、該第２のケース及び該第２の蓋部とを互いに回動可能に連結する第２の連結部とを有する携帯用工具収納ケースにおいて、
該第２の蓋部の外表面に、上記のアクセサリ収納ケースを収納可能な凹部を設け、該フック部と係合可能な穴部を設ければ、携帯用工具収納ケースにアクセサリ収納ケースを着脱自在に取り付けることができる。
【００１４】
上記のアクセサリ収納ケースと、上記の携帯用工具収納ケースとを組合わせて提供すれば、ユーザは上記の様々な利便性を享受できる。
【００１５】
該アクセサリ収納ケース及び該凹部が非対称に形成されるようにすれば、方向を間違えて組み合わされることを防ぐことができる。
【００１６】
該アクセサリ収納ケースを該凹部に収納したときに、該アクセサリ収納ケースは該携帯用工具収納ケースから突出しないようにすれば、アクセサリ収納ケースが外部にぶつかるのを防ぐことができる。
【発明の効果】
【００１７】
本発明によるケースは、
１．  広い作業空間で作業する場合には電動工具も収納出来る大きく、重い携帯用工具ケースを持ち運ぶのではなく、アクセサリ収納ケースのみを取外し持ち運ぶことが出来、携帯性に優れている。また、アクセサリ収納ケースを中に入れるアクセサリーやねじの種類別に何個か用意し、行く現場によってつけ替えるように使い分ければ段取、準備の手間がはぶける。
２．  アクセサリ収納ケースは先端工具を入れる収納スペースが充分あり、かつ電動工具収納用ケースに固定することが可能なため、１日の作業開始、終了時にも一つの工具収納用ケースを持ち運ぶだけとなり作業性が良くなる。また、アクセサリ収納ケースは非対称形状のため、取り付けた時、アクセサリ収納ケースの第１の蓋部の開閉方向と携帯用工具収納ケースの第２の蓋部の開閉方向とを同一にすることが出来る。収納ケースはハンドルを持って運搬するため、第１及び第２の蓋部の開放部は上を向くことになる。アクセサリケース５の前記蓋６の方向が下向きだとアクセサリ収納ケース内の先端工具が落ち易くなるが、そのようなことも防ぐことが可能になっている。
３．  アクセサリ収納ケースを取り外すと、第２の蓋部の開け閉めとは各々独立して操作可能になり、先端工具の取り出しはアクセサリ収納ケースの操作、充電器、予備電池の取出しなどは第２の蓋部の操作、と分けることができ、操作性の良い作業が可能になる。
４．  凹部を深くすることにより、アクセサリ収納ケースは携帯用工具収納ケースの外側に出ない。持ち運びの際には頑丈な携帯用工具収納ケースが先ににぶつかるので、アクセサリ収納ケースの破損等の不具合を避けることが出来る。アクセサリ収納ケースが携帯用工具収納ケースの外側に出ないことにより、アクセサリ収納ケースの材料強度を携帯用工具収納ケースより低いものにすることが可能になる。安価で透明性の高いポリプロピレン等を採用することができる。
５．  工具を販売する側にしても自ら販売している先端工具類を、アクセサリ収納ケースに各業種の必要に応じた先端工具類を納め、用意する販売することで、高価な工具の在庫の負担を持つことなく顧客のニーズに充分こたえることができる。
【発明を実施するための最良の形態】
【００１８】
本実施例における電動工具の収納ケースの構造を図１〜図５にて説明する。
【００１９】
図１は本発明になる電動工具の収納ケースの１実施例を示す外観図である。
【００２０】
図５において、ケース下側１には、工具本体２や充電器３をそれぞれ収納する部屋がリブで形成されている。工具本体２は、外枠２ａにエラストマ２ｂという軟質のゴム状のものが一体で成形されている。このケース下側１は、射出成形で形成され、肉厚は３ｍｍ〜３．５ｍｍの均一な厚みを持ち、電動工具の重さにも充分耐える高強度プラスチック材料により成形されている。
【００２１】
一方ケース上蓋４側も同様に射出成形で成形された肉厚は３ｍｍ〜３．５ｍｍの均一な高強度の成形体である。ケース上蓋４の電動工具収納側とは反対のケース外側には、先端工具を納めるためのアクセサリーケース５を埋設するための凹部が形成されており、凹部にはアクセサリーケースとはめ合う穴部９が構成されている。
【００２２】
以上の、ケース上蓋４とケース下側１は、図２のようにピン１０で結合され、持ち運ぶ際使用するハンドル１１やケース上蓋４とケース下側を固定するラッチ１２を構成することにより、持ち運び可能な収納ケースとなる。
【００２３】
図４において、アクセサリーケース５は、上記ケース上蓋４と同様に射出成形で成形された肉厚は２mm〜２．５mmの成形体であるが、収納対象が電動工具より軽い先端工具１３のため材料強度が上記ケース上蓋４に比べると低く、かつ先端工具１３が見えるような透明な材料を使用し、中央部１５を０．５ｍｍほどの薄肉とし、アクセサリーケース５を収納側６と蓋側７に分け、中央部１５を軸として回動自在とすることで開閉式にしている。
【００２４】
アクセサリーケース５にはケース上蓋４には、はめ合うようにかん合部８を設け、かん合部をアクセサリーケース５およびケース上蓋４の中央方向に移動させることによりケース上蓋４から前記アクセサリーケース５を取り外す、または取り付けることができるようにしている。
【００２５】
前記アクセサリーケース５を前記ケース上蓋４から取り外すと、前記アクセサリーケース５は図３に示すように、独立した収納ケースとして内部に先端工具を収納し、運搬可能に構成されている。また、前記アクセサリーケース５の形状は非対称形状になっている。
【００２６】
前記アクセサリーケース５は図２に示すように前記ケース上蓋４に取りつけた状態でも前記蓋側６が開閉可能であり、図３に示す独立状態でも同様である。
【図面の簡単な説明】
【００２７】
【図１】本発明の一実施例を示す電動工具の収納ケースの外観図
【図２】本発明の一実施例を示す電動工具の収納ケースの外観図
【図３】本発明の一実施例を示す部品の斜視図
【図４】本発明の一実施例を示す部品の正面図および側面図
【図５】本発明の一実施例を示す電動工具の収納ケースの内部構造図
【符号の説明】
【００２８】
１はケース下側、２は工具本体、２ａは外枠、２ｂはエラストマ、３は充電器、４はケース上蓋、５はアクセサリーケース、６は収納側、７は蓋側、８はかん合部、９は穴部、１０はピン、１１はハンドル、１２はラッチ、１３は先端工具、１４はリブ、１５は中央部、１６は蓋である。
【図１】
2005254379.tif 000003
【図２】
2005254379.tif 000004
【図３】
2005254379.tif 000005
【図４】
2005254379.tif 000006
【図５】
2005254379.tif 000007